(57)【要約】  色中心をセンサに用いる測定において、測定感度を向上させるために、センサ素子（１）は、ダイヤモンドの結晶構造に色中心を有し、かつ色中心の電子スピン状態がドレスト状態である。
2020071383.tif 000002
【特許請求の範囲】
【請求項１】
ダイヤモンドの結晶構造に色中心を有し、かつ色中心の電子スピン状態がドレスト状態であるセンサ素子。
【請求項２】
前記色中心は、１つの炭素原子を置換した窒素（Ｎ）と前記窒素に隣接する空孔（Ｖ）とを含んでいるダイモンドの複合体である、請求項１に記載のセンサ素子。
【請求項３】
測定対象との相互作用により変化する色中心の電子スピン状態にドレスト状態を生成するための駆動用のマイクロ波と、前記電子スピン状態を操作するための操作用の電磁波とを、前記色中心を有するセンサ素子に照射する照射部と、
前記測定対象との相互作用後の、前記ドレスト状態にある前記電子スピン状態に基づいて、前記測定対象の物理量を算出する物理量測定部と、
を備える、測定装置。
【請求項４】
前記物理量測定部は、
前記測定対象との相互作用後の、前記ドレスト状態にある前記電子スピン状態について、複数のエネルギー準位間の位相の情報を量子演算する量子回路部と、
前記量子演算後の前記位相の情報を読み出すための光を、前記センサ素子に照射する光照射部と、
前記光の照射によって前記センサ素子に生じる変化を検出する検出部と、
前記検出された変化から前記量子演算後の前記位相の情報を読み出し、読み出した前記位相の情報に基づいて前記物理量を算出するデータ処理部と、
を備える、請求項３に記載の測定装置。
【請求項５】
前記量子回路部は、
前記複数のエネルギー準位のそれぞれに作用する複数のアダマール作用部と、
複数の前記アダマール作用部の出力のそれぞれに作用し、量子的な補助状態に出力を加算する複数のユニタリ作用部と、
を備える、請求項４に記載の測定装置。
【請求項６】
前記色中心は、炭素原子を置換した窒素（Ｎ）と前記窒素に隣接する空孔（Ｖ）との複合体である、請求項３から５のいずれか１項に記載の測定装置。
【請求項７】
前記物理量測定部は、電子スピンとの相互作用に関連する前記物理量として、磁場、電場、温度および力学量のうち、少なくとも一つを算出する、請求項３から６のいずれか１項に記載の測定装置。
【請求項８】
色中心を有するセンサ素子に、測定対象との相互作用により変化する前記色中心の電子スピン状態にドレスト状態を生成するための駆動用のマイクロ波を照射するステップと、
前記電子スピン状態を操作するための操作用の電磁波を、前記センサ素子に照射するステップと、
前記測定対象との相互作用後の、前記ドレスト状態にある前記電子スピン状態に基づいて、前記測定対象の物理量を算出するステップと、
を含む、測定方法。
【請求項９】
前記物理量を算出するステップは、
前記ドレスト状態にある前記電子スピン状態について、複数のエネルギー準位間の位相の情報を量子演算するステップと、
前記量子演算後の前記位相の情報を読み出すための光を、前記センサ素子に照射するステップと、
前記光の照射によって前記センサ素子に生じる変化を検出するステップと、
前記検出された変化から前記量子演算後の前記位相の情報を読み出し、読み出した前記位相の情報に基づいて前記物理量を算出するステップと、
を含む、請求項８に記載の測定方法。
【請求項１０】
前記量子演算を行うステップは、
前記複数のエネルギー準位のそれぞれにアダマールゲートを作用させるステップと、
複数の前記アダマールゲートの出力のそれぞれにユニタリ作用素を作用させ、複数の前記ユニタリ作用素の出力のそれぞれを、量子的な補助状態に加算するステップと、
を含む、請求項９に記載の測定方法。
【請求項１１】
前記操作用の電磁波を照射するステップは、
π／２パルスを照射することにより、量子化軸に沿った電子スピンを、前記量子化軸に垂直な平面に傾ける操作を行うステップと、
πパルスを照射することにより、前記測定対象との相互作用により位相緩和された前記電子スピンを、前記平面内において反転させる操作を行うステップと、
π／２パルスを照射することにより、位相緩和された前記電子スピンを、前記量子化軸に射影する操作を行うステップと、
を含む、請求項８から１０のいずれか１項に記載の測定方法。
【請求項１２】
前記操作用の電磁波を照射するステップは、
π／２パルスを照射することにより、量子化軸に沿った電子スピンを、前記量子化軸に垂直な平面に傾ける操作を行うステップと、
π／２パルスを照射することにより、前記測定対象との相互作用により位相緩和された前記電子スピンを、前記量子化軸に射影する操作を行うステップと、
を含む、請求項８から１０のいずれか１項に記載の測定方法。
【発明の詳細な説明】
【技術分野】
【０００１】
本発明は、色中心をセンサに用いるセンサ素子、測定装置および測定方法に関する。
【背景技術】
【０００２】
ダイヤモンドの結晶構造において、窒素−空孔中心と呼ばれる複合欠陥が見られることがある。この窒素−空孔中心は、結晶格子の炭素原子の位置に置き換わる形で入った窒素原子と、その窒素原子の隣接位置に存在する（炭素原子が抜けている）空孔との対からなるもので、ＮＶ中心（Nitrogen Vacancy center）とも呼ばれている。ダイヤモンドの結晶構造には、ＮＶ中心以外にも、珪素-空孔中心（Silicon Vacancy center）と呼ばれる複合欠陥や、ゲルマニウム-空孔中心（Germanium Vacancy center）と呼ばれる複合欠陥が見られることがあり、ＮＶ中心を含むこれら複合欠陥は、色中心と呼ばれている。【０００３】
ＮＶ中心は、空孔に電子が捕獲された状態（負電荷状態、以下「ＮＶ−」と呼ぶ）においては、電子スピンと呼ばれる磁気的な性質を示す。このＮＶ−は、電子が捕獲されていない状態（中性状態、以下「ＮＶ０」と呼ぶ)に比べて、長い横緩和時間（デコヒーレンス時間、以下「Ｔ２」と呼ぶ）を示す。つまり、ＮＶ−の電子スピン状態は、外部磁場の縦方向（以下、「量子化軸」と呼ぶ）に揃えた電子スピンの磁化を横方向に傾けた後、個々のスピンの歳差運動が原因となり個々の向きがずれていって、全体としての横磁化が消失するまでの時間が長い。また、ＮＶ−は、室温（約３００Ｋ）下であっても長いＴ２値を示す。【０００４】
ＮＶ−の電子スピン状態は外部の磁場に反応して変化し、この電子スピン状態の測定も室温下で可能であるため、ＮＶ中心を含むダイヤモンドは、磁場センサ素子の材料として利用できる。【０００５】
さらに、ＮＶ−の電子スピン状態は、電磁波照射などの方法により、外部から人為的に操作する（特定の電子スピン状態に置く）こともできる。この操作も室温下で可能であるため、Ｔ２が長いことと合わせて、ＮＶ中心は、量子状態の書き込みおよび読み出しが安定して行える量子ビットとして利用可能なことが期待され、ＮＶ中心等の色中心を含むダイヤモンドは、量子情報素子や電子回路素子の材料としての利用が期待されている。【０００６】
例えば特許文献１には、色中心を含むダイヤモンドを用いたセンサが開示されている。
【先行技術文献】
【特許文献】
【０００７】
【特許文献１】特表２０１７−５１４１３０号公報
【発明の概要】
【発明が解決しようとする課題】
【０００８】
このような、ダイヤモンド中の色中心をセンサに用いる磁場等の測定において、測定感度をさらに向上することが求められている。【０００９】
一例として、磁場を測定する場合について説明する。ダイヤモンド中の色中心を用いたセンサによる磁場測定の検出感度は、次の式で表される。
【数１】
2020071383.tif 000003
【００１０】
ここで、Ｂｍｉｎは、検出可能な磁場の最小強度であり、Ｎは量子ビット数である。デコヒーレンス時間Ｔ２が増大すると検出可能な磁場の最小強度Ｂｍｉｎも減少することから、測定感度をさらに向上させるために、デコヒーレンス時間をさらに増大させることが求められている。【００１１】
本発明は、色中心をセンサに用いる測定において、測定感度を向上させることを目的とする。
【課題を解決するための手段】
【００１２】
上記目的を達成するための本発明は、例えば以下に示す態様を含む。
（項１）
ダイヤモンドの結晶構造に色中心を有し、かつ色中心の電子スピン状態がドレスト状態であるセンサ素子。
（項２）
前記色中心は、１つの炭素原子を置換した窒素（Ｎ）と前記窒素に隣接する空孔（Ｖ）とを含んでいるダイモンドの複合体である、項１に記載のセンサ素子。
（項３）
測定対象との相互作用により変化する色中心の電子スピン状態にドレスト状態を生成するための駆動用のマイクロ波と、前記電子スピン状態を操作するための操作用の電磁波とを、前記色中心を有するセンサ素子に照射する照射部と、
前記測定対象との相互作用後の、前記ドレスト状態にある前記電子スピン状態に基づいて、前記測定対象の物理量を算出する物理量測定部と、
を備える、測定装置。
（項４）
前記物理量測定部は、
前記測定対象との相互作用後の、前記ドレスト状態にある前記電子スピン状態について、複数のエネルギー準位間の位相の情報を量子演算する量子回路部と、
前記量子演算後の前記位相の情報を読み出すための光を、前記センサ素子に照射する光照射部と、
前記光の照射によって前記センサ素子に生じる変化を検出する検出部と、
前記検出された変化から前記量子演算後の前記位相の情報を読み出し、読み出した前記位相の情報に基づいて前記物理量を算出するデータ処理部と、
を備える、項３に記載の測定装置。
（項５）
前記量子回路部は、
前記複数のエネルギー準位のそれぞれに作用する複数のアダマール作用部と、
複数の前記アダマール作用部の出力のそれぞれに作用し、量子的な補助状態に出力を加算する複数のユニタリ作用部と、
を備える、項４に記載の測定装置。
（項６）
前記色中心は、炭素原子を置換した窒素（Ｎ）と前記窒素に隣接する空孔（Ｖ）との複合体である、項３から５のいずれか１項に記載の測定装置。
（項７）
前記物理量測定部は、電子スピンとの相互作用に関連する前記物理量として、磁場、電場、温度および力学量のうち、少なくとも一つを算出する、項３から６のいずれか１項に記載の測定装置。
（項８）
色中心を有するセンサ素子に、測定対象との相互作用により変化する前記色中心の電子スピン状態にドレスト状態を生成するための駆動用のマイクロ波を照射するステップと、
前記電子スピン状態を操作するための操作用の電磁波を、前記センサ素子に照射するステップと、
前記測定対象との相互作用後の、前記ドレスト状態にある前記電子スピン状態に基づいて、前記測定対象の物理量を算出するステップと、
を含む、測定方法。
（項９）
前記物理量を算出するステップは、
前記ドレスト状態にある前記電子スピン状態について、複数のエネルギー準位間の位相の情報を量子演算するステップと、
前記量子演算後の前記位相の情報を読み出すための光を、前記センサ素子に照射するステップと、
前記光の照射によって前記センサ素子に生じる変化を検出するステップと、
前記検出された変化から前記量子演算後の前記位相の情報を読み出し、読み出した前記位相の情報に基づいて前記物理量を算出するステップと、
を含む、項８に記載の測定方法。
（項１０）
前記量子演算を行うステップは、
前記複数のエネルギー準位のそれぞれにアダマールゲートを作用させるステップと、
複数の前記アダマールゲートの出力のそれぞれにユニタリ作用素を作用させ、複数の前記ユニタリ作用素の出力のそれぞれを、量子的な補助状態に加算するステップと、
を含む、項９に記載の測定方法。
（項１１）
前記操作用の電磁波を照射するステップは、
π／２パルスを照射することにより、量子化軸に沿った電子スピンを、前記量子化軸に垂直な平面に傾ける操作を行うステップと、
πパルスを照射することにより、前記測定対象との相互作用により位相緩和された前記電子スピンを、前記平面内において反転させる操作を行うステップと、
π／２パルスを照射することにより、位相緩和された前記電子スピンを、前記量子化軸に射影する操作を行うステップと、
を含む、項８から１０のいずれか１項に記載の測定方法。
（項１２）
前記操作用の電磁波を照射するステップは、
π／２パルスを照射することにより、量子化軸に沿った電子スピンを、前記量子化軸に垂直な平面に傾ける操作を行うステップと、
π／２パルスを照射することにより、前記測定対象との相互作用により位相緩和された前記電子スピンを、前記量子化軸に射影する操作を行うステップと、
を含む、項８から１０のいずれか１項に記載の測定方法。
【発明の効果】
【００１３】
本発明によると、色中心をセンサに用いる測定において、測定感度を向上させることができる。
【図面の簡単な説明】
【００１４】
【図１】本発明の一実施形態に係る測定装置の概略的な構成を模式的に示す図である。
【図２】一連の測定手順を行う間の、ＮＶ中心における電子スピンのエネルギー準位の変化を模式的に示す図である。
【図３】ドレスト状態を生成する前および後の、ＮＶ中心における電子スピンのエネルギー準位を模式的に示す図である。
【図４】ドレスト状態に対する量子演算を行う量子回路部を模式的に示す図である。
【図５】本発明の一実施形態に係る測定方法の手順を示すフローチャートである。
【図６】交流磁場をセンシングする場合の詳細な手順を示すフローチャートである。
【図７】交流磁場をセンシングする場合のパルスシーケンスである。
【図８】図７のパルスシーケンスに対応する電子スピンの挙動を模式的に示す図である。
【図９】量子演算の詳細な手順を示すフローチャートである。
【図１０】静磁場をセンシングする場合の詳細な手順を示すフローチャートである。
【図１１】静磁場をセンシングする場合のパルスシーケンスである。
【図１２】図１１のパルスシーケンスに対応する電子スピンの挙動を模式的に示す図である。
【図１３】実施例１におけるデコヒーレンス時間Ｔ２の測定結果を示すグラフである。
【図１４】実施例２におけるドレスト状態にある電子スピンについてのデコヒーレンス時間Ｔ２＊の測定結果を示すグラフである。
【図１５】実施例２におけるベア状態にある電子スピンについてのデコヒーレンス時間Ｔ２＊の測定結果を示すグラフである。
【図１６】実施例３における磁気共鳴信号の強度と測定対象の静磁場との対応関係を示すグラフである。
【発明を実施するための形態】
【００１５】
以下、本発明の実施形態を、添付の図面を参照して詳細に説明する。なお、以下の説明および図面において、同じ符号は同じまたは類似の構成要素を示すこととし、よって、同じまたは類似の構成要素に関する重複した説明を省略する。
【００１６】
なお、本明細書において、物理量（physical quantity）とは、物理学における一定の体系の下で次元が確定し、定められた物理単位の倍数として表すことができる量を意味する。物理量の一例としては、例えば、磁場、電場、温度および力学量（力学的なストレス、圧力等）が挙げられる。磁場、電場および力学量は、時間と共に変化しない物理量と、時間と共に方向が変化を繰り返す物理量とを含む。すなわち、磁場は、静磁場および交流磁場を含み、電場は、静電場および交流電場を含み、力学量は、静的な力学量および交流力学量を含む。
【００１７】
［第１の実施形態］
本発明の第１の実施形態では、測定対象の物理量の一例として、測定対象から発生している交流磁場（alternating magnetic field）の強度を測定する場合について説明する。
【００１８】
［装置構成］
図１は、本発明の一実施形態に係る測定装置１０の概略的な構成を模式的に示す図である。
【００１９】
測定装置１０は、センサ素子１と、照射部２と、物理量測定部３と、を備える。一例として、本実施形態では、共焦点レーザ顕微鏡を測定装置１０の構成に用いることができる。
【００２０】
本実施形態では、センサ素子１は、色中心を有しているダイヤモンドの結晶であり、色中心としてＮＶ中心を用いる。ＮＶ中心は、炭素原子を置換した窒素（Ｎ）と、窒素に隣接する空孔（Ｖ）との複合体（複合欠陥）である。センサ素子１は、本実施形態では、測定装置１０のプローブ１１先端に取り付けられている。
【００２１】
センサ素子１が有する色中心の電子スピン状態は、測定対象９との相互作用８により変化を受ける。本実施形態では、相互作用８は交流磁場による相互作用である。相互作用８が交流磁場による場合には、センサ素子１の色中心の電子スピン状態は、測定対象９から発生している交流磁場の強度に応じた状態となる。
【００２２】
照射部２は、駆動用マイクロ波照射部２１と、操作用電磁波照射部２２とを備える。駆動用マイクロ波照射部２１は、色中心の電子スピン状態にドレスト状態（dressed states）を生成するための駆動用のマイクロ波を、センサ素子１に照射する。ドレスト状態の詳細については後述する。操作用電磁波照射部２２は、色中心の電子スピン状態を操作するための操作用の電磁波を、センサ素子１に照射する。本実施形態では、駆動用のマイクロ波は、連続波（continuous wave）の形式で、もしくはパルス化された形式でセンサ素子１に照射され、操作用の電磁波は、パルス化された形式でセンサ素子１に照射される。駆動用マイクロ波照射部２１および操作用電磁波照射部２２には、公知のマイクロ波（microwave, MW）発振器を用いることができる。
【００２３】
物理量測定部３は、測定対象９との相互作用後の、色中心のドレスト状態にある電子スピン状態に基づいて、測定対象９の物理量を算出する。本実施形態では、物理量測定部３は、測定対象９から発生している交流磁場の強度を算出する。物理量測定部３は、量子回路部３１と、光照射部３２と、検出部３３と、データ処理部３４とを備える。
【００２４】
量子回路部３１は、測定対象９との相互作用後の、ドレスト状態にある電子スピン状態について、複数のエネルギー準位間の位相情報を量子演算する。一例として、量子回路部３１は、例えば電磁波パルスによる量子ゲートを用いた磁気共鳴による手法により実現される。量子演算の詳細については後述する。量子回路部３１は、公知のマイクロ波発振器（パルスジェネレータ）とマイクロ波スイッチとを用いて構成することができる。量子回路部３１の構成に用いるマイクロ波発振器と照射部２の構成に用いるマイクロ波発振器とは、それぞれ別個の機器であってもよいし、一体化して構成されてもよい。
【００２５】
光照射部３２は、量子演算後の位相情報を読み出すための光を、センサ素子１に照射する。また、光照射部３２は、色中心の電子スピン状態を初期化するための光をセンサ素子１に照射する。光照射部３２には、例えば種々の公知のレーザ発生装置を用いることができる。任意の構成として、光照射部３２は、音響光学変調素子（Acoustic Optical Modulator: AOM）を備えることができる。音響光学変調素子は、入力されるレーザ光をパルス化して出力することができる。
【００２６】
検出部３３は、センサ素子１に生じる変化を検出する。本実施形態では、検出部３３は、センサ素子１から放出される光を検出することにより、公知の光検出磁気共鳴（Optically Detected Magnetic Resonance: ODMR）法により、磁気共鳴の信号を発光強度の変化として検出する。この場合、検出部３３には、例えば公知のフォトダイオードを用いることができる。フォトダイオードには、例えばアバランシェフォトダイオードを用いることができる。
【００２７】
なお、本実施形態では、照射部２において操作用の電磁波をパルス化した形式で照射している。よって、本実施形態では、具体的にはPulsed Optically Detected Magnetic Resonance（pODMR）法による検出を行う。
【００２８】
データ処理部３４は、検出部３３と接続され、検出部３３にて検出された変化から量子演算後の位相情報を読み出し、読み出した位相情報に基づいて測定対象９の物理量を算出する。本実施形態では、データ処理部３４は、測定対象９から発生している交流磁場の強度を算出する。データ処理部３４には、例えば公知の汎用コンピュータや、スマートフォン等の種々の情報端末装置を用いることができる。これら情報端末装置は、データを処理するプロセッサを備えている。データ処理部３４は、プロセッサに代えて電子回路で構成されてもよい。
【００２９】
データ処理部３４は、測定装置１０と一体化されて構成されていてもよいし、または図示するように、測定装置１０の外部に設けられて、ネットワーク９９を介して測定装置１０と接続されていてもよい。
【００３０】
［測定原理］
図２は、一連の測定手順を行う間の、ＮＶ中心における電子スピンのエネルギー準位の変化を模式的に示す図である。図中、ＮＶ中心の量子状態を｜ｍｓ，ｍＩ＞で表す。ｍｓはＮＶ中心の電子スピンであり、ｍＩは窒素（１４Ｎ）の核スピンである。
【００３１】
本発明では、ＮＶ中心における電子スピン状態にドレスト状態｜φ１＞，｜φ２＞を生成し、生成した複数のドレスト状態｜φ１＞，｜φ２＞の位相を、量子演算により足し合わせて検出する。さらにＮＶ中心における電子スピン状態にドレスト状態を生成することにより、電子スピンのデコヒーレンス時間が増大する。デコヒーレンス時間が増大する理由はマイクロ波モードが外部ノイズに強いからである。つまり、マイクロ波モードとＮＶ中心が結合することによって、ＮＶ中心も含めてノイズに強くなることから減衰しにくくなり、その結果デコヒーレンス時間が増大する。つまり、量子演算による足し合わせとデコヒーレンス時間の増大により検出可能な磁場の最小強度Ｂｍｉｎが減少し、磁場の測定感度が向上する。本発明では、物理量の測定において、色中心の電子スピン状態がドレスト状態であるこのようなセンサ素子１を用いることにより、測定感度を向上させている。
【００３２】
マイクロ波によるドレスト状態とは、対象の系（system）と対象に照射するマイクロ波のモードとが結合することにより生成される新たな量子状態である。ドレスト状態とは、電子スピンがマイクロ波の衣をまとった状態のことである。本発明におけるマイクロ波ドレスト状態の生成は、Autler-Townes splitting (ATS)法に基づいている。センサ素子１に照射する駆動用のマイクロ波の強度および周波数等は、ATS法に基づいて適宜決定することができる。
【００３３】
図２（ａ）は、ドレスト状態生成前の状態を示している。ＮＶ中心の基底状態はスピン三重項状態であり、光の吸収により、基底状態のスピン三重項状態は励起される。室温における定常状態では、基底状態において全ての準位は等しく分布している。この状態において、レーザ光を用いてＮＶ中心を光励起すると、各準位の分布確率が偏在し、ＮＶ中心の基底状態は偏極状態となる。レーザ光照射後の、ＮＶ中心の基底状態は、｜０，０＞、｜０，１＞および｜０，−１＞と表される。
【００３４】
図３は、ドレスト状態を生成する前および後の、ＮＶ中心における電子スピンのエネルギー準位を模式的に示す図である。ドレスト状態生成前の状態を（ａ）に示し、ドレスト状態生成後の状態を（ｂ）に示す。図２（ｂ）は、ドレスト状態生成後に磁場センシングを行う状態を示している。
【００３５】
ＮＶ中心の基底状態｜０，−１＞と励起状態｜−１，−１＞との間の共鳴周波数ωdriveで相当する駆動用のマイクロ波をその強度ΩｄｒｉｖｅでＮＶ中心に照射すると、ＮＶ中心の電子スピン状態には、２つのドレスト状態｜φ１＞、｜φ２＞が生成される。具体的には、｜−１，−１＞および｜０，−１＞の２つの準位に関してドレスト状態を生成すると、｜−１，−１＞｜ｎ＞、｜０，−１＞｜ｎ＋１＞、｜−１，−１＞｜ｎ−１＞、および｜０，−１＞｜ｎ＞の４準位が生成される。ここで、｜ｎ−１＞、｜ｎ＞、｜ｎ＋１＞は駆動用のマイクロ波のモードであり、ｎは０を含む正の整数（０，１，２，・・・）である。このとき、｜−１，−１＞｜ｎ−１＞と｜０，−１＞｜ｎ＞との間の分裂幅、および｜−１，−１＞｜ｎ＞と｜０，−１＞｜ｎ＋１＞との間の分裂幅Ωは、駆動用のマイクロ波の強度Ωｄｒｉｖｅと等しい。すなわち、Ωｄｒｉｖｅと等しい周波数のマイクロ波によって、２つの準位間を同時に操作することが可能である。これは、１回の磁場センシングにより、ドレスト状態にある２つの準位を同時に測定していることを意味している。磁場センシングの詳細な手順については後述する。
【００３６】
図２（ｃ）は、量子演算後の位相情報を読み出す状態を示している。
【００３７】
磁場センシングを行った後、生成した２つのドレスト状態｜φ１＞，｜φ２＞の位相情報を、量子演算により足し合わせて検出する。量子演算による足し合わせには、後述する量子回路部を用いる。量子演算時に演算の補助として用いる補助状態（ancilla state）には、本実施形態では、例えば｜−１，０＞を用いる。その後、量子演算による足し合わせ後の状態について、光検出磁気共鳴（ODMR）法により、ＮＶ中心の基底状態｜０，−１＞と励起状態｜−１，−１＞との間の磁気共鳴の信号を、発光強度の変化として検出する。発光強度の変化には、量子演算後の位相情報が含まれている。
【００３８】
図４は、ドレスト状態に対する量子演算を行う量子回路部を模式的に示す図である。
【００３９】
量子回路部３１は、第１のアダマール作用部５１と、第２のアダマール作用部５２と、第１のユニタリ作用部５３と、第２のユニタリ作用部５４と、を備える。本実施形態では、量子回路部３１は、状態｜−１，０＞を、演算を補助するための補助状態に用いる。補助状態には、第１のユニタリ作用部５３による作用後の出力と第２のユニタリ作用部５４による作用後の出力とが加算される。
【００４０】
第１のアダマール作用部５１は、ドレスト状態１｜φ１＞に作用する。第１のユニタリ作用部５３は、第１のアダマール作用部５１の出力に作用して、出力を補助状態｜−１，０＞に加算する。第２のアダマール作用部５２は、ドレスト状態２｜φ２＞に作用する。第２のユニタリ作用部５４は、第２のアダマール作用部５２の出力に作用して、出力を補助状態｜−１，０＞に加算する。例えば量子ゲートにて実装される量子回路において、第１のアダマールゲート作用部５１および第２のアダマールゲート作用部５２は、アダマールゲートとして機能し、第１のユニタリ作用部５３および第２のユニタリ作用部５４は、ユニタリ作用素（ユニタリゲート）として機能する。
【００４１】
補助状態に加算した位相情報は、光検出磁気共鳴（ODMR）法により、発光強度の変化として検出する。検出した位相情報は、測定対象の物理量に応じた状態となっている。よって、検出した相互作用後の電子スピン状態の位相情報を、適切にデータ処理することにより、測定対象の物理量を算出することができる。測定対象の物理量は、電子スピンのハミルトニアンに基づいて算出することができる。
【００４２】
電子スピンのハミルトニアンＨｇｓは、以下の式で表される。
【数２】
2020071383.tif 000004
【００４３】
ここで、μＢはボーア磁子であり、ｇｅは電子のｇ因子であり、ｈはプランク定数である。ベクトルＳは電子スピンである。ベクトルＢは印加磁場である。Ｄｇｓは零磁場分裂定数である。Ｓｘ，Ｓｙ，Ｓｚはそれぞれ、電子スピンＳのｘ，ｙ，ｚ方向成分である。ｄｇｓ⊥は、電気双極子モーメントである。Ｅｘ，Ｅｙはそれぞれ、電場のｘ，ｙ方向成分である。
【００４４】
１番目の項
【数３】
2020071383.tif 000005
は、ゼーマン効果による項であり、電子スピンが磁場センサとして機能することを意味している。
【００４５】
２番目の項および３番目の項は、双極子相互作用（すなわち、スピン間相互作用）による項である。２番目の項
【数４】
2020071383.tif 000006
は、電子スピンが温度センサおよび力学量（圧力）センサとして機能することを意味している。３番目の項
【数５】
2020071383.tif 000007
は、電子スピンが電場センサとして機能することを意味している。
【００４６】
よって、磁場の強度は、１番目の項に基づいて算出することができる。温度および力学量の強度は、２番目の項に基づいて算出することができる。電場の強度は、３番目の項に基づいて算出することができる。
【００４７】
［測定手順］
図５は、本発明の一実施形態に係る測定方法の手順を示すフローチャートである。
【００４８】
ステップＳ１において、センサ素子１にレーザ光を照射することにより、センサ素子１の色中心（ＮＶ中心）の電子スピンを初期化する。その後、初期化されたＮＶ中心の電子スピンを、測定対象９の交流磁場と相互作用させる。十分な時間の間、相互作用をさせると、ＮＶ中心の電子スピン状態は、交流磁場の強度に応じた状態となる。
【００４９】
ステップＳ２において、センサ素子１に駆動用のマイクロ波を照射することにより、ＮＶ中心の電子スピン状態にドレスト状態を生成する。これにより、センサ素子１のＮＶ中心の電子スピン状態はドレスト状態となる。
【００５０】
ステップＳ３において、センサ素子１にスピン操作用の電磁波を照射することにより、磁場センシングを行う。本実施形態では、図６のステップＳ３１Ａ〜Ｓ３３Ａに示す手順により、交流磁場のセンシングを行う。
【００５１】
＜交流磁場のセンシング＞
図６は、交流磁場をセンシングする場合の詳細な手順を示すフローチャートである。図７は、交流磁場をセンシングする場合のパルスシーケンスである。図８は、図７のパルスシーケンスに対応する電子スピンの挙動を模式的に示す図である。図８中、上側にはドレスト状態１｜φ１＞の電子スピンを示し、下側にはドレスト状態２｜φ２＞の電子スピンを示している。
【００５２】
状態Ｉは、ステップＳ１の状態に対応しており、レーザ光の照射により電子スピンを初期化した状態を表している。電子スピン７は、量子化軸であるｚ軸に沿った方向に揃っている。状態ＩＩは、ステップＳ２の状態に対応しており、２つのドレスト状態を生成した状態を表している。
【００５３】
次いで、ステップＳ３１Ａにおいて、π／２パルスを照射することにより、量子化軸に沿った電子スピンを、量子化軸に垂直な平面に傾ける操作を行う。状態ＩＩに示すように、電子スピン７はｘｙ平面に倒される。その後、状態ＩＩＩに示すように、ｘｙ平面に倒された電子スピン７は、所定の時間τの間に、交流磁場および静磁場との相互作用によって位相緩和する。時間τは、測定対象交流磁場の半波長に対応する時間である。
【００５４】
所定の時間τが経過した後、ステップＳ３２Ａにおいて、πパルスを照射することにより、測定対象との相互作用により位相緩和された電子スピンを、平面内において反転させる操作を行う。状態ＩＩＩから状態ＩＶに示すように、電子スピン７は、ｘｙ平面においてその先端の位置が回転している。この際、状態Ｖに示すように、電子スピン７が再収束することにより、静磁場成分は打ち消されるが、交流磁場成分は、状態ＩＩＩのときと強度が反転しているため打ち消されない。
【００５５】
所定の時間τがさらに経過した後、ステップＳ３３Ａにおいて、π／２パルスを照射することにより、位相緩和された電子スピンを、量子化軸に射影する操作を行う。状態ＶＩに示すように、ｘｙ平面内に位置していた電子スピン７は、量子化軸であるｚ軸に射影され、ｚ軸に沿った方向に揃えられる。
【００５６】
なお、状態ＶＩＩは後述するステップＳ４の状態に対応しており、状態ＶＩＩＩは後述するステップＳ５の状態に対応している。
【００５７】
図５および図４を再び参照する。ステップＳ４において量子演算を行うことにより、ドレスト状態にある電子スピン状態について、複数のエネルギー準位間の位相情報を量子演算する。
【００５８】
図９は、量子演算の詳細な手順を示すフローチャートである。
【００５９】
ステップＳ４１において、複数のエネルギー準位のそれぞれにアダマールゲートを作用させる。ドレスト状態１｜φ１＞には第１のアダマール作用部５１を作用させ、ドレスト状態２｜φ２＞には第２のアダマール作用部５２を作用させる。
【数６】
2020071383.tif 000008
【００６０】
ステップＳ４２において、複数のアダマールゲートの出力のそれぞれにユニタリ作用素を作用させる。第１のアダマール作用部５１の出力には第１のユニタリ作用部５３を作用させ、第２のアダマール作用部５２の出力には第２のユニタリ作用部５４を作用させる。
【００６１】
次いで、ステップＳ４３において、複数のユニタリ作用素の出力のそれぞれを、量子的な補助状態に加算する。本実施形態では、２つのユニタリ作用部５３，５４からの出力である位相情報が補助状態｜−１，０＞に加算され、その結果、位相情報が２倍される。
【数７】
2020071383.tif 000009
【００６２】
図５および図２を再び参照する。ステップＳ５において、センサ素子１にレーザ光を照射して、センサ素子１に生じる変化を検出することにより、量子演算後の位相情報の読み出しを行う。本実施形態では、センサ素子１から放出される光を検出することにより、相互作用後の電子スピン状態の、量子演算後の位相情報の読み出しを行う。
【００６３】
まず、加算して補助状態｜−１，０＞に保持されている位相情報を、πパルスを用いることにより状態｜−１，−１＞に移動させる。次に、移動させた後の、状態｜−１，−１＞に保持されている位相情報を、光検出磁気共鳴（ODMR）法により、発光強度の変化として検出部３３を用いて検出する。
【００６４】
なお、ステップＳ１からステップＳ５に示す手順を繰り返し実行することにより、信号強度を積算してＳ／Ｎを向上させることができる。
【００６５】
ステップＳ６において、測定対象の磁場の強度を算出する。検出部３３にて検出した相互作用後の電子スピン状態の位相情報は、測定対象９の交流磁場に応じた状態となっている。よって、検出した相互作用後の電子スピン状態の位相情報を適切にデータ処理することにより、交流磁場の強度を算出することができる。例えば、相互作用後の電子スピン状態が基底状態となる確率を求めることにより、測定対象９の交流磁場の強度を算出することができる。強度の算出は、電子スピンのハミルトニアンＨｇｓの、ゼーマン効果による項に基づいて行う。
【００６６】
以上、本発明の第１の実施形態によると、色中心における電子スピン状態にドレスト状態を生成することにより、デコヒーレンス時間Ｔ２を増大させることができる。これにより、検出可能な交流磁場の最小強度Ｂｍｉｎを減少させることができ、色中心をセンサに用いる測定において、交流磁場の測定感度を向上させることができる。
【００６７】
また、本発明の一実施形態に係る測定装置１０は、冷却機構を用いることなく室温（約３００Ｋ）下にて動作することができる。先進的な高感度の磁場センサの一例として知られている超伝導量子干渉計（superconducting quantum interference device, SQUID）は、超伝導状態を維持するために、例えば液体窒素等による冷却機構を必要としている。これに対し、本発明の一実施形態に係る測定装置１０は、冷却機構を備える必要が無いため、装置の小型化や、他の装置への搭載（例えば、自動車等の輸送機器への搭載）が容易である点において、他の先進的な磁場センサと比較して有利である。
【００６８】
［第２の実施形態］
本発明の第２の実施形態では、測定対象の物理量の一例として、測定対象から発生している静磁場（static magnetic field）の強度を測定する場合について説明する。
【００６９】
第２の実施形態では、ステップＳ３における磁場センシングの詳細な手順が、第１の実施形態における手順と異なる。これ以外の手順については、第１の実施形態における手順と同様である。
【００７０】
＜静磁場のセンシング＞
図１０は、静磁場をセンシングする場合の詳細な手順を示すフローチャートである。図１１は、静磁場をセンシングする場合のパルスシーケンスである。図１２は、図１１のパルスシーケンスに対応する電子スピンの挙動を模式的に示す図である。図１２中、上側にはドレスト状態１｜φ１＞の電子スピンを示し、下側にはドレスト状態２｜φ２＞の電子スピンを示している。
【００７１】
状態Ｉは、図５のフローチャートに示すステップＳ１の状態に対応しており、レーザ光の照射により電子スピンを初期化した状態を表している。電子スピン７は、量子化軸であるｚ軸に沿った方向に揃っている。状態ＩＩは、図５のフローチャートに示すステップＳ２の状態に対応しており、２つのドレスト状態を生成した状態を表している。
【００７２】
次いで、ステップＳ３１Ｂにおいて、π／２パルスを照射することにより、量子化軸に沿った電子スピンを、量子化軸に垂直な平面に傾ける操作を行う。状態ＩＩに示すように、電子スピン７はｘｙ平面に倒される。その後、状態ＩＩＩに示すように、ｘｙ平面に倒された電子スピン７は、所定の時間τの間に、静磁場との相互作用によって位相緩和する。
【００７３】
所定の時間τがさらに経過した後、ステップＳ３２Ｂにおいて、π／２パルスを照射することにより、位相緩和された電子スピンを、量子化軸に射影する操作を行う。状態ＩＶに示すように、ｘｙ平面内に位置していた電子スピン７は、量子化軸であるｚ軸に射影され、ｚ軸に沿った方向に揃えられる。
【００７４】
なお、状態ＶはステップＳ４の状態に対応しており、状態ＶＩはステップＳ５の状態に対応している。
【００７５】
以上、本発明の第２の実施形態によると、色中心をセンサに用いる測定において、静磁場の測定感度を向上させることができる。
【００７６】
［その他の形態］
以上、本発明を特定の実施形態によって説明したが、本発明は上記した実施形態に限定されるものではない。
【００７７】
上記した実施形態では、２つのドレスト状態｜φ１＞, ｜φ２＞を生成しているが、生成するドレスト状態の数は２つに限らず、複数のドレスト状態を生成することができる。例えば３つのドレスト状態｜φ１＞, ｜φ２＞, ｜φ３＞を生成する場合には、量子回路部３１は、３つのアダマール作用部と３つのユニタリ作用部とを備え、３つのドレスト状態｜φ１＞, ｜φ２＞, ｜φ３＞を足し合わせると良い。
【００７８】
上記した実施形態では、測定対象の物理量は磁場（交流磁場または静磁場）であるが、磁場に限らず、電場、温度および力学量（力学的なストレス、圧力等）を測定対象の物理量とすることができる。これら物理量は、電子スピンとの相互作用に関連する物理量であり、電子スピンのハミルトニアンに基づいて算出することができる。
【００７９】
上記した実施形態では、センサ素子１のダイヤモンドの色中心としてＮＶ中心を用いているが、用いる色中心はＮＶ中心に限定されない。ＮＶ中心に代えて、珪素-空孔中心またはゲルマニウム-空孔中心を、センサ素子１のダイヤモンドの色中心に用いてもよい。また、色中心もダイヤモンド結晶の色中心に限定されず、色中心の電子スピン状態にドレスト状態を生成することができる限り、種々の結晶の色中心をセンサ素子１に用いることができる。
【００８０】
上記した実施形態では、相互作用後の電子スピン状態に関する磁気共鳴の信号を、光検出磁気共鳴（ODMR）法により発光強度の変化として検出しているが、磁気共鳴信号を測定する方法はこれに限定されない。例えば、磁気共鳴信号は、公知の電気検出磁気共鳴（Electrically Detected Magnetic Resonance: EDMR）法により測定することができる。電気検出磁気共鳴（EDMR）法では、ダイヤモンドの色中心等のセンサ素子１の光励起により、スピン状態に依存した光電流が生成される。この光電流は、スピン状態に依存した励起状態の寿命の違いにより生成されている。検出部３３は、センサ素子１の電気抵抗（またはセンサ素子１に生じる光電流）を検出することにより、磁気共鳴の信号を電気抵抗率の変化（または光照射による光電流の変化）として検出する。すなわち、検出部３３は電気的検出部として機能する。検出部３３には、例えば公知の電流計を用いることができる。
【００８１】
また、静磁場をセンシングする場合の図１１に示すパルスシーケンスにおいて、直流磁場は、少なくとも状態ＩＩＩに対応する区間においてセンサ素子１に印加されていればよい。
【実施例】
【００８２】
以下に本発明の実施例を示し、本発明の特徴をより明確にする。
＜実施例１＞【００８３】
実施例１では、第１の実施形態に係る測定方法に基づいて、交流磁場を測定する場合のパルスシーケンスを用いて、ＮＶ−のドレスト状態にある電子スピンについて磁気共鳴信号の強度を測定した。また、測定により得られた信号強度から、ドレスト状態にある電子スピンのデコヒーレンス時間Ｔ２を求めた。【００８４】
図１３は、実施例１におけるデコヒーレンス時間Ｔ２の測定結果を示すグラフである。グラフの縦軸は、磁気共鳴信号の強度（エコー強度）に対応する。グラフには比較のため、ＮＶ−のベア状態にある（すなわち、ドレスト状態にない）電子スピンのデコヒーレンス時間Ｔ２の測定結果も示す。グラフ中、ドレスト状態にある電子スピンについての磁気共鳴信号の強度の測定値をスクエア記号で示し、これら測定値のフィッティングラインを符号６１で示す。同様に、ベア状態にある電子スピンからの磁気共鳴信号の強度の測定値をサークル記号で示し、これら測定値のフィッティングラインを符号６２で示す。【００８５】
測定の結果、ドレスト状態にある電子スピンのデコヒーレンス時間Ｔ２は約１．５ｍｓであり、ベア状態にある電子スピンのデコヒーレンス時間Ｔ２は約４．２μｓであった。この実施例１における測定結果によると、ＮＶ−の電子スピンにドレスト状態を生成することにより、デコヒーレンス時間Ｔ２は１００倍以上（約３５０倍）に増大した。【００８６】
デコヒーレンス時間Ｔ２が増大すると、検出可能な磁場の最小強度Ｂｍｉｎは減少し、検出感度は向上する。よって、交流磁場を測定する場合において、ＮＶ−の電子スピンにドレスト状態を生成することにより、検出可能な磁場の最小強度Ｂｍｉｎが減少し、ダイヤモンド中の色中心を用いたセンサによる磁場測定において、検出感度が向上することが示された。
＜実施例２＞【００８７】
実施例２では、第２の実施形態に係る測定方法に基づいて、静磁場を測定する場合のパルスシーケンスを用いて、ＮＶ−のドレスト状態にある電子スピンについて磁気共鳴信号の強度を測定した。エコー法から求められたデコヒーレンス時間Ｔ２に対し、この場合のデコヒーレンス時間をＴ２＊と呼ぶ。測定により得られた信号強度から、ドレスト状態にある電子スピンのデコヒーレンス時間Ｔ２＊を求めた。測定に用いたレーザ光の出力は約１００μＷであり、レーザ光のパルス幅は約１０μｓであり、πパルスのパルス幅は約４２ｎｓであった。【００８８】
図１４は、実施例２におけるドレスト状態にある電子スピンについてのデコヒーレンス時間Ｔ２＊の測定結果を示すグラフである。グラフ中、磁気共鳴信号の強度の測定値をスクエア記号で示し、これら測定値のフィッティングラインを実線で示す。測定の結果、ドレスト状態にある電子スピンのデコヒーレンス時間Ｔ２＊は、１５．４±５．３μｓであった。【００８９】
また、比較のため、ＮＶ−のベア状態にある電子スピンについて磁気共鳴信号の強度を測定した。測定により得られた信号強度から、ベア状態にある電子スピンのデコヒーレンス時間Ｔ２＊を求めた。測定に用いたレーザ光の出力は約１００μＷであり、レーザ光のパルス幅は約１０μｓであり、πパルスのパルス幅は約４４ｎｓであった。【００９０】
図１５は、実施例２におけるベア状態にある電子スピンについてのデコヒーレンス時間Ｔ２＊の測定結果を示すグラフである。グラフ中、磁気共鳴信号の強度の測定値をスクエア記号で示し、これら測定値のフィッティングラインを実線で示す。測定の結果、ベア状態にある電子スピンのデコヒーレンス時間Ｔ２＊は、０．９５±０．２７μｓであった。【００９１】
図１４および図１５の各測定結果に示すように、ＮＶ−の電子スピンにドレスト状態を生成することにより、デコヒーレンス時間Ｔ２＊は約１５倍に増大した。よって、静磁場を測定する場合において、ＮＶ−の電子スピンにドレスト状態を生成することにより、検出感度が向上することが示された。
＜実施例３＞【００９２】
実施例３では、静磁場を測定する場合について、電子スピンにドレスト状態を生成する場合と電子スピンにドレスト状態を生成しない（ベア状態にある）場合とで検出感度の比較を行った。磁気共鳴信号の強度の測定は、実施例２と同様の条件で行った。パルスシーケンスにおけるπ／２パルス間の時間τは２５μｓであった。【００９３】
図１６は、実施例３における磁気共鳴信号の強度と測定対象の静磁場との対応関係を示すグラフである。図１６に示すグラフは、測定対象の静磁場の大きさを変化させることにより得られた。グラフ中、磁気共鳴信号の強度の測定値をスクエア記号で示し、これら測定値のフィッティングラインを実線で示す。この図１６に示すグラフのフィッティングラインの傾きと、グラフの縦軸に示す磁気共鳴信号の強度の測定値の標準偏差σとに基づいて、検出感度を算出した。また、電子スピンにドレスト状態を生成しない場合についても図１６と同様のグラフを作成し、作成したグラフから検出感度を算出した。検出感度の算出結果を表１に示す。
【表１】
2020071383.tif 000010
【００９４】
表１の算出結果に示すように、ＮＶ−の電子スピンにドレスト状態を生成することにより、検出感度は約３．１倍に増大した。よって、静磁場を測定する場合において、ＮＶ−の電子スピンにドレスト状態を生成することにより、検出感度が向上することが確認された。
【符号の説明】
【００９５】
１     センサ素子
２     照射部
３     物理量測定部
７     電子スピン
８     相互作用
９     測定対象
１０   測定装置
１１   プローブ
２１   駆動用マイクロ波照射部
２２   操作用電磁波照射部
３１   量子回路部
３２   光照射部
３３   検出部
３４   データ処理部
５１，５２    アダマール作用部
５３，５４    ユニタリ作用部
９９   ネットワーク
【図１】
2020071383.tif 000011
【図２】
2020071383.tif 000012
【図３】
2020071383.tif 000013
【図４】
2020071383.tif 000014
【図５】
2020071383.tif 000015
【図６】
2020071383.tif 000016
【図７】
2020071383.tif 000017
【図８】
2020071383.tif 000018
【図９】
2020071383.tif 000019
【図１０】
2020071383.tif 000020
【図１１】
2020071383.tif 000021
【図１２】
2020071383.tif 000022
【図１３】
2020071383.tif 000023
【図１４】
2020071383.tif 000024
【図１５】
2020071383.tif 000025
【図１６】
2020071383.tif 000026
【国際調査報告】
2020071383.tif 000027
2020071383.tif 000028
2020071383.tif 000029
2020071383.tif 000030